(57)【特許請求の範囲】
【請求項１】
レンズを保持し前記レンズの光軸方向へ移動可能な可動体および前記可動体を前記光軸方向へ移動可能に保持する保持体を有する可動モジュールと、前記可動モジュールを揺動可能に支持する支持体と、前記可動体に取り付けられるレンズ駆動用コイルと、前記支持体に取り付けられる振れ補正用コイルと、前記レンズ駆動用コイルに対向する第１対向面と前記振れ補正用コイルに対向する第２対向面とを有し前記保持体に取り付けられる駆動用磁石とを備え、
前記保持体は、前記可動モジュールの外周面の少なくとも一部を構成するとともに前記駆動用磁石を保持する略筒状の磁石保持部材を備え、
前記磁石保持部材には、前記駆動用磁石が固定される固定孔が貫通するように形成され、
前記レンズ駆動用コイルは、前記磁石保持部材の内周側に配置され、
前記振れ補正用コイルは、前記磁石保持部材の外周側に配置され、
前記駆動用磁石は、前記第１対向面が前記磁石保持部材の内周側に向き、前記第２対向面が前記磁石保持部材の外周側に向くように、前記固定孔に固定され、
前記レンズ駆動用コイルと前記駆動用磁石とによって、前記保持体に対して前記可動体を前記光軸方向へ駆動するためのレンズ駆動機構の少なくとも一部が構成され、
前記振れ補正用コイルと前記駆動用磁石とによって、前記支持体に対して前記可動モジュールを揺動させて振れを補正するための振れ補正機構の少なくとも一部が構成されていることを特徴とする撮影用光学装置。
【請求項２】
前記磁石保持部材は、前記光軸方向から見たときの形状が略正方形状または略長方形状となる略四角筒状に形成され、
前記駆動用磁石は、略平板状に形成され、前記磁石保持部材の４つの側面のうちの少なくとも互いに直交する２つの前記側面に固定されていることを特徴とする請求項１記載の撮影用光学装置。
【請求項３】
前記磁石保持部材は、前記光軸方向から見たときの形状が略正方形状または略長方形状となる略四角筒状に形成され、
前記駆動用磁石は、前記磁石保持部材の四隅のうちの少なくとも互いに隣り合う２箇所に固定されていることを特徴とする請求項１記載の撮影用光学装置。
【請求項４】
前記磁石保持部材は、非磁性材料で形成されていることを特徴とする請求項１から３のいずれかに記載の撮影用光学装置。
【請求項５】
前記駆動用磁石は、前記第１対向面および前記第２対向面において異なる２つの磁極が前記光軸方向で重なるように着磁されていることを特徴とする請求項１から４のいずれかに記載の撮影用光学装置。
【発明の詳細な説明】
【技術分野】
【０００１】
本発明は、レンズおよび撮像素子が搭載される可動モジュールを揺動させて振れを補正する振れ補正機能を有する撮影用光学装置に関する。
【背景技術】
【０００２】
近年、携帯電話等の携帯機器には、撮影用光学装置が搭載されている。携帯機器の場合、撮影時に手振れが発生しやすい。そこで、撮影時の手振れを補正することが可能な撮影用光学装置が本出願人によって提案されている（たとえば、特許文献１参照）。
【０００３】
特許文献１に記載の撮影用光学装置は、レンズおよび撮像素子が搭載される可動モジュールと、可動モジュールを支持する固定体と、可動モジュールを固定体上で揺動させて手振れを補正する手振れ補正機構とを備えている。可動モジュールは、レンズを保持して光軸方向へ移動可能な移動体と、移動体を光軸方向へ移動可能に支持する支持体と、移動体を光軸方向へ移動させるレンズ駆動用コイルおよびレンズ駆動用磁石とを備えている。レンズ駆動用コイルは、移動体の外周面に巻回されている。また、支持体を構成する四角筒状のケースが移動体の外周面を囲むように配置されており、レンズ駆動用磁石は、レンズ駆動用コイルに対向するようにケースの内周面に固定されている。
【０００４】
また、特許文献１に記載の撮影用光学装置では、手振れ補正機構は、手振れ補正用コイルと手振れ補正用磁石とを備えている。手振れ補正用磁石は、ケースの外側面を覆うようにケースに固定されるヨークの外周面に固定されている。また、撮影用光学装置の外周面を構成する四角筒状の固定体がヨークの外周面を囲むように配置されており、手振れ補正用コイルは、手振れ補正用磁石と対向するように固定体の内周面に固定されている。
【先行技術文献】
【特許文献】
【０００５】
【特許文献１】特開２００９−２９４３９３号公報
【発明の概要】
【発明が解決しようとする課題】
【０００６】
近年、携帯電話等の携帯機器の市場では、携帯機器の小型化の要求が一段と高まっており、その結果、携帯機器に搭載される撮影用光学装置の小型化の要求も一段と高まっている。
【０００７】
そこで、本発明の課題は、従来以上に小型化することが可能な撮影用光学装置を提供することにある。
【課題を解決するための手段】
【０００８】
上記の課題を解決するため、本発明の撮影用光学装置は、レンズを保持しレンズの光軸方向へ移動可能な可動体および可動体を光軸方向へ移動可能に保持する保持体を有する可動モジュールと、可動モジュールを揺動可能に支持する支持体と、可動体に取り付けられるレンズ駆動用コイルと、支持体に取り付けられる振れ補正用コイルと、レンズ駆動用コイルに対向する第１対向面と振れ補正用コイルに対向する第２対向面とを有し保持体に取り付けられる駆動用磁石とを備え、保持体は、可動モジュールの外周面の少なくとも一部を構成するとともに駆動用磁石を保持する略筒状の磁石保持部材を備え、磁石保持部材には、駆動用磁石が固定される固定孔が貫通するように形成され、レンズ駆動用コイルは、磁石保持部材の内周側に配置され、振れ補正用コイルは、磁石保持部材の外周側に配置され、駆動用磁石は、第１対向面が磁石保持部材の内周側に向き、第２対向面が磁石保持部材の外周側に向くように、固定孔に固定され、レンズ駆動用コイルと駆動用磁石とによって、保持体に対して可動体を光軸方向へ駆動するためのレンズ駆動機構の少なくとも一部が構成され、振れ補正用コイルと駆動用磁石とによって、支持体に対して可動モジュールを揺動させて振れを補正するための振れ補正機構の少なくとも一部が構成されていることを特徴とする。
【０００９】
本発明の撮影用光学装置では、レンズ駆動用コイルと駆動用磁石とによって、保持体に対して可動体を光軸方向へ駆動するためのレンズ駆動機構の少なくとも一部が構成され、振れ補正用コイルと駆動用磁石とによって、支持体に対して可動モジュールを揺動させて振れを補正するための振れ補正機構の少なくとも一部が構成されている。すなわち、本発明では、共通の駆動用磁石によって、レンズを光軸方向へ移動させるための磁気回路と、振れを補正するための磁気回路とが形成されている。
【００１０】
そのため、従来のように、レンズを光軸方向へ移動させるための磁気回路を形成するレンズ駆動用磁石と、振れを補正するための磁気回路を形成する振れ補正用磁石とが別個に設けられている場合と比較して、部品点数を削減することが可能になる。また、一般的に、所定の磁束密度を確保するために最低限必要となる磁石の厚さが決まっているため、本発明では、レンズ駆動用磁石と振れ補正用磁石とが別個に設けられている場合の、レンズ駆動用磁石の厚さと振れ補正用磁石の厚さとの和と比較して、駆動用磁石の厚さを薄くすることが可能になる。したがって、本発明では、従来以上に撮影用光学装置を小型化することが可能になる。また、本発明では、レンズ駆動用磁石と振れ補正用磁石とが別個に設けられている場合の、レンズ駆動用磁石の厚さと振れ補正用磁石の厚さとの和と比較して、駆動用磁石の厚さを薄くすることが可能になるため、可動モジュールとともに揺動する駆動用磁石の重量を低減することが可能になる。
【００１２】
本発明において、たとえば、磁石保持部材は、光軸方向から見たときの形状が略正方形状または略長方形状となる略四角筒状に形成され、駆動用磁石は、略平板状に形成され、磁石保持部材の４つの側面のうちの少なくとも互いに直交する２つの側面に固定されている。この場合には、形状が比較的単純な略平板状の駆動用磁石を用いて、レンズを光軸方向に移動させ、かつ、振れを補正することができる。
【００１３】
本発明において、たとえば、磁石保持部材は、光軸方向から見たときの形状が略正方形状または略長方形状となる略四角筒状に形成され、駆動用磁石は、磁石保持部材の四隅のうちの少なくとも互いに隣り合う２箇所に固定されている。この場合には、デッドスペースとなりやすい磁石保持部材の四隅に駆動用磁石が配置されるため、撮影用光学装置をより小型化することが可能になる。
【００１４】
本発明において、磁石保持部材は、非磁性材料で形成されていることが好ましい。このように構成すると、磁石保持部材を樹脂等の軽い材料で形成することが可能になるため、磁石保持部材が磁性材料で形成されている場合と比較して、振れ補正機構によって揺動する可動モジュールを軽量化することが可能になる。
【００１５】
本発明において、駆動用磁石は、第１対向面および第２対向面において異なる２つの磁極が光軸方向で重なるように着磁されていることが好ましい。このように構成すると、駆動用磁石が単極に着磁されている場合と比較して、レンズ駆動機構および振れ補正機構の駆動力を高めることが可能になる。
【発明の効果】
【００１６】
以上のように、本発明では、撮影用光学装置を従来以上に小型化することが可能になる。
【図面の簡単な説明】
【００１７】
【図１】本発明の実施の形態にかかる撮影用光学装置の斜視図である。
【図２】図１のＥ−Ｅ断面の断面図である。
【図３】図１に示す撮影用光学装置の分解斜視図である。
【図４】図３に示すレンズ駆動用コイル、振れ補正用コイルおよび駆動用磁石の配置関係を説明するための平面図である。
【図５】本発明の他の実施の形態にかかるレンズ駆動用コイル、振れ補正用コイルおよび駆動用磁石の構成および配置関係を説明するための平面図である。
【発明を実施するための形態】
【００１８】
以下、図面を参照しながら、本発明の実施の形態を説明する。
【００１９】
（撮影用光学装置の概略構成）
図１は、本発明の実施の形態にかかる撮影用光学装置１の斜視図である。図２は、図１のＥ−Ｅ断面の断面図である。図３は、図１に示す撮影用光学装置１の分解斜視図である。なお、以下の説明では、図１に示すように、互いに直交する３方向のそれぞれをＸ方向、Ｙ方向およびＺ方向とし、Ｘ方向を左右方向、Ｙ方向を前後方向、Ｚ方向を上下方向とする。また、図１等のＺ１方向側を「上」側、Ｚ２方向側を「下」側とする。
【００２０】
本形態の撮影用光学装置１は、携帯電話等の携帯機器、ドライブレコーダあるいは監視カメラシステム等に搭載される小型かつ薄型のカメラであり、全体として略四角柱状に形成されている。本形態では、撮影用光学装置１は、撮影用のレンズの光軸Ｌの方向（光軸方向）から見たときの形状が略正方形状となるように形成されており、撮影用光学装置１の４つの側面は、左右方向または前後方向と略平行になっている。
【００２１】
撮影用光学装置１は、図１、図２に示すように、図示を省略するレンズおよび撮像素子が搭載される可動モジュール２と、可動モジュール２を揺動可能に支持する支持体３とを備えている。可動モジュール２は、図示を省略する板バネによって支持体３と繋がれている。
【００２２】
なお、本形態では、上下方向は、レンズ駆動装置２が揺動していないときのレンズ駆動装置２の光軸方向とほぼ一致する。また、本形態では、可動モジュール２の下端に撮像素子が搭載されており、上側に配置される被写体が撮影される。すなわち、本形態では、上側（Ｚ１方向側）は被写体側（物体側）であり、下側（Ｚ２方向側）は反被写体側（撮像素子側、像側）である。
【００２３】
可動モジュール２は、全体として略四角柱状に形成されている。本形態では、可動モジュール２は、光軸方向から見たときの形状が略正方形状となるように形成されており、可動モジュール２の４つの側面は、左右方向または前後方向と略平行になっている。この可動モジュール２は、図２に示すように、レンズを保持し光軸方向へ移動可能な可動体５と、可動体５を光軸方向へ移動可能に保持する保持体６とを備えている。可動体５は、図示を省略する板バネを介して保持体６に移動可能に保持されている。すなわち、可動体５と保持体６とは板バネによって繋がれている。
【００２４】
可動体５は、複数のレンズが固定されたレンズホルダ７を保持するスリーブ８を備えている。保持体６は、可動モジュール２の４つの側面（外周面）の一部を構成するカバー部材１０と、可動モジュール２の反被写体側の端面を構成するベース部材１１とを備えている。なお、図３では、レンズホルダ７の図示を省略している。
【００２５】
レンズホルダ７は、略円筒状に形成されている。このレンズホルダ７の内周側には、複数のレンズが固定されている。スリーブ８は、たとえば、樹脂材料で形成されるとともに、略筒状に形成されている。具体的には、スリーブ８は、光軸方向から見たときのスリーブ８の内周が円形状となり、かつ、光軸方向から見たときのスリーブ８の外周が略正方形状となる略筒状に形成されている。スリーブ８は、その内周側でレンズホルダ７を保持している。すなわち、スリーブ８の内周面にレンズホルダ７の外周面が固定されている。
【００２６】
カバー部材１０は、非磁性材料で形成されている。たとえば、カバー部材１０は、樹脂材料で形成されている。このカバー部材１０は、底部１０ａと筒部１０ｂとを有する底付きの略四角筒状（略有底四角筒状）に形成されている。底部１０ａは、上側に配置されており、可動モジュール２の被写体側の端面を構成している。底部１０ａの中心には、円形の貫通孔１０ｃが形成されている。筒部１０ｂを構成する４つの側面には、後述の駆動用磁石２４が固定される固定孔１０ｄが前後方向または左右方向に貫通するように形成されている。カバー部材１０は、可動体５の外周側を囲むように配置されている。本形態のカバー部材１０は、後述の駆動用磁石２４を保持する磁石保持部材である。なお、カバー部材１０は、磁性材料で形成されても良い。
【００２７】
カバー部材１０の底部１０ａの下面には、図２に示すように、スペーサ部材１２が固定されている。スペーサ部材１２は、略正方形の枠状に形成されている。スペーサ部材１２には、可動体５と保持体６とを繋ぐ上述の板バネの一部が固定されている。
【００２８】
ベース部材１１は、樹脂材料で形成されるとともに、略正方形の平板状に形成されている。このベース部材１１は、カバー部材１０の筒部１０ｂの下端に固定されている。ベース部材１１の中心には、貫通孔１１ａが形成されており、この貫通孔１１ａの中に撮像素子が配置されている。
【００２９】
撮像素子は、基板１３に実装されている。基板１３は、ベース部材１１の下面に固定されている。基板１３には、可動モジュール２の傾きの変化を検出するためのジャイロスコープが実装されている。また、基板１３には、ＦＰＣ（フレキシブルプリント基板）１４が接続されており、ＦＰＣ１４は、撮影用光学装置１の下端側で引き回されて、撮影用光学装置１の側面から引き出されている。
【００３０】
支持体３は、撮影用光学装置１の下面および前後左右の４つの側面（外周面）を構成するケース体１７を備えている。ケース体１７は、非磁性材料で形成されている。たとえば、ケース体１７は、樹脂材料で形成されている。ケース体１７は、底部１７ａと筒部１７ｂとを有する底付きの略四角筒状（略有底四角筒状）に形成されている。底部１７ａは、下側に配置されており、撮影用光学装置１の反被写体側の端面を構成している。筒部１７ｂは、可動モジュール２を外周側から囲むように配置されている。
【００３１】
ケース体１７の底部１７ａの中心には、図２に示すように、可動モジュール２の揺動の支点となる支点突起部材１８が上方向へ突出するように固定されている。支点突起部材１８の上端は、たとえば、半球面状に形成されており、基板１３の下面に当接している。
【００３２】
また、撮影用光学装置１は、保持体６に対して可動体５を光軸方向へ駆動するためのレンズ駆動機構２０と、支持体３に対して可動モジュール２を揺動させて手振れ等の振れを補正するための振れ補正機構２１とを備えている。以下、レンズ駆動機構２０および振れ補正機構２１の構成を説明する。
【００３３】
（レンズ駆動機構および振れ補正機構の構成）
図４は、図３に示すレンズ駆動用コイル２２、振れ補正用コイル２３および駆動用磁石２４の配置関係を説明するための平面図である。
【００３４】
スリーブ８の外周面には、レンズ駆動機構２０を構成する２個のレンズ駆動用コイル２２が取り付けられている。レンズ駆動用コイル２２は、スリーブ８の外周面に沿って巻回されている。すなわち、レンズ駆動用コイル２２は、略正方形の筒状に巻回されている。また、２個のレンズ駆動用コイル２２は、その巻回方向が互いに異なるように巻回されている。たとえば、一方のレンズ駆動用コイル２２は、図４の時計回りの方向に巻回され、他方のレンズ駆動用コイル２２は、図４の反時計回りの方向に巻回されている。２個のレンズ駆動用コイル２２は、上下方向に所定の間隔をあけた状態でスリーブ８の外周面に固定されている。
【００３５】
ケース体１７の筒部１７ｂの内周面を構成する４つの内側面のそれぞれには、振れ補正機構２１を構成する振れ補正用コイル２３が取り付けられている。振れ補正用コイル２３は、扁平な略長方形状に巻回されて形成された空芯コイルであり、互いに略平行な２個の長辺部２３ａを備えている。振れ補正用コイル２３は、その厚さ方向と筒部１７ｂの厚さ方向とが一致するように、かつ、長辺部２３ａが前後方向または左右方向と略平行になるように（すなわち、略長方形状に巻回された振れ補正用コイル２３の短手方向と上下方向とが略一致するように、）筒部１７ｂの４つの内側面のそれぞれに固定されている。
【００３６】
なお、本形態では、筒部１７ｂの前後の内側面に固定される２個の振れ補正用コイル２３は、１本の導線が順次、巻回されて形成されている。また、筒部１７ｂの左右の内側面に固定される２個の振れ補正用コイル２３は、１本の導線が順次、巻回されて形成されている。
【００３７】
カバー部材１０の筒部１０ｂを構成する４つの側面のそれぞれには、略長方形の平板状に形成された駆動用磁石２４が固定されている。筒部１０ｂの側面に固定される駆動用磁石２４は、その厚さ方向が筒部１０ｂの厚さ方向と一致し、かつ、その長手方向が左右方向または前後方向と略一致するように（すなわち、その短手方向が上下方向と略一致するように）、筒部１０ｂの固定孔１０ｄに固定されている。
【００３８】
駆動用磁石２４は、略長方形の平板状に形成された第１磁石片２４ａと第２磁石片２４ｂとの２個の磁石片によって構成されている。具体的には、第１磁石片２４ａの下面と第２磁石片２４ｂの上面とが当接した状態で、第１磁石片２４ａと第２磁石片２４ｂとが互いに接着固定されることで駆動用磁石２４が形成されている。
【００３９】
駆動用磁石２４は、一方の側面に形成される磁極と他方の側面に形成される磁極とが異なるように着磁されている。すなわち、カバー部材１０の左右の側面に固定される駆動用磁石２４は、駆動用磁石２４の右側面に形成される磁極と左側面に形成される磁極とが異なるように着磁されている。また、カバー部材１０の前後の側面に固定される駆動用磁石２４は、駆動用磁石２４の前側面に形成される磁極と後側面に形成される磁極とが異なるように着磁されている。
【００４０】
また、駆動用磁石２４は、その側面において異なる２つの磁極が上下方向で重なるように着磁されている。具体的には、カバー部材１０の左右の側面に固定される駆動用磁石２４は、左右方向における第１磁石片２４ａの外側面に形成される磁極と第２磁石片２４ｂの外側面に形成される磁極とが異なるように（すなわち、左右方向における第１磁石片２４ａの内側面に形成される磁極と第２磁石片２４ｂの内側面に形成される磁極とが異なるように）着磁されている。また、カバー部材１０の前後の側面に固定される駆動用磁石２４は、前後方向における第１磁石片２４ａの外側面に形成される磁極と第２磁石片２４ｂの外側面に形成される磁極とが異なるように着磁されている。
【００４１】
本形態では、カバー部材１０の前後左右の側面に固定される第１磁石片２４ａの内側面の磁極が全て同じ磁極になるように（すなわち、カバー部材１０の前後左右の側面に固定される第２磁石片２４ｂの内側面の磁極が全て同じ磁極になるように）、４個の駆動用磁石２４は、筒部１０ｂに固定されている。すなわち、本形態では、カバー部材１０の前後左右の側面に固定される第１磁石片２４ａの外側面の磁極が全て同じ磁極になるように（すなわち、カバー部材１０の前後左右の側面に固定される第２磁石片２４ｂの外側面の磁極が全て同じ磁極になるように）、４個の駆動用磁石２４は、筒部１０ｂに固定されている。
【００４２】
たとえば、第１磁石片２４ａの前後左右方向における内側面の磁極がＳ極となり、第１磁石片２４ａの前後左右方向における外側面の磁極がＮ極となり、第２磁石片２４ｂの前後左右方向における内側面の磁極がＮ極となり、第２磁石片２４ｂの前後左右方向における外側面の磁極がＳ極となるように、駆動用磁石２４は、筒部１０ｂに固定されている。
【００４３】
前後左右方向における第１磁石片２４ａの内側面は、筒部１０ｂの内周側に配置される２個のレンズ駆動用コイル２２のうちの一方のレンズ駆動用コイル２２の外周面と所定の隙間を介して対向し、前後左右方向における第２磁石片２４ｂの内側面は、他方のレンズ駆動用コイル２２の外周面と所定の隙間を介して対向している。また、前後左右方向における第１磁石片２４ａの外側面は、筒部１０ｂの外周側に配置される振れ補正用コイル２３の２個の長辺部２３ａのうちの一方の長辺部２３ａの表面と所定の隙間を介して対向し、前後左右方向における第２磁石片２４ｂの外側面は、他方の長辺部２３ａの表面と所定の隙間を介して対向している。
【００４４】
本形態では、レンズ駆動用コイル２２と駆動用磁石２４とによって、レンズ駆動機構２０が構成されており、レンズ駆動用コイル２２に電流が供給されると、可動体５とともにレンズが光軸方向へ移動する。また、本形態では、振れ補正用コイル２３と駆動用磁石２４とによって、振れ補正機構２１が構成されており、基板１３に実装されるジャイロスコープで可動モジュール２の傾きの変化が検出されると、ジャイロスコープでの検出結果に基づいて、振れ補正用コイル２３に電流が供給される。また、振れ補正用コイル２３に電流が供給されると、可動モジュール２が支点部１９を中心にして光軸Ｌを傾けるように揺動して、振れが補正される。
【００４５】
なお、本形態では、前後左右方向における駆動用磁石２４の内側面は、レンズ駆動用コイル２２に対向する第１対向面２４ｃであり、前後左右方向における駆動用磁石２４の外側面は、振れ補正用コイル２３に対向する第２対向面２４ｄである。
【００４６】
（本形態の主な効果）
以上説明したように、本形態では、レンズ駆動用コイル２２と駆動用磁石２４とによってレンズ駆動機構２０が構成され、振れ補正用コイル２３と駆動用磁石２４とによって振れ補正機構２１が構成されている。すなわち、本形態では、共通の駆動用磁石２４によって、レンズを光軸方向へ移動させるための磁気回路と、振れを補正するための磁気回路とが形成されている。
【００４７】
そのため、本形態では、レンズを光軸方向へ移動させるための磁気回路を形成するレンズ駆動用磁石と、振れを補正するための磁気回路を形成する振れ補正用磁石とが別個に設けられている場合と比較して、部品点数を削減することができる。また、一般的に、所定の磁束密度を確保するために最低限必要となる磁石の厚さが決まっているため、レンズ駆動用磁石と振れ補正用磁石とが別個に設けられている場合には、レンズ駆動用磁石の厚さと振れ補正用磁石の厚さとの和が大きくなるが、本形態では、レンズ駆動用磁石の厚さと振れ補正用磁石の厚さとの和と比較して、駆動用磁石２４の厚さを薄くすることができる。したがって、本形態では、撮影用光学装置１を小型化することが可能になる。
【００４８】
また、本形態では、レンズ駆動用磁石の厚さと振れ補正用磁石の厚さとの和と比較して、駆動用磁石２４の厚さを薄くすることができるため、可動モジュール２とともに揺動する駆動用磁石２４の重量を低減することが可能になる。特に本形態では、カバー部材１０が樹脂材料で形成されており、カバー部材１０が金属等の磁性材料で形成されている場合と比較して、可動モジュール２を軽量化することができる。したがって、本形態では、振れ補正の際の可動モジュール２の応答性を高めることが可能になる。
【００４９】
本形態では、カバー部材１０の筒部１０ｂを構成する４つの側面のそれぞれに略長方形の平板状に形成された駆動用磁石２４が固定されている。そのため、形状が比較的単純な略平板状の駆動用磁石２４を用いて、レンズを光軸方向に移動させ、かつ、振れを補正することができる。
【００５０】
本形態では、駆動用磁石２４の第１対向面２４ｃは、異なる２つの磁極が光軸方向で重なるように着磁されている。そのため、第１対向面２４ｃが単極に着磁されている場合と比較して、レンズ駆動用コイル２２を通過する磁束の密度を高めることが可能になる。したがって、本形態では、レンズ駆動機構２０の駆動力を高めることが可能になる。また、本形態では、異なる２つの磁極が光軸方向で重なるように駆動用磁石２４の第２対向面２４ｄが着磁されているため、振れ補正用コイル２３の２個の長辺部２３ａの両方を利用して、振れを補正するための駆動力を得ることができる。したがって、振れ補正機構２１の駆動力を高めることが可能になる。
【００５１】
（他の実施の形態）
上述した形態は、本発明の好適な形態の一例ではあるが、これに限定されるものではなく本発明の要旨を変更しない範囲において種々変形実施が可能である。
【００５２】
上述した形態では、カバー部材１０の筒部１０ｂを構成する４つの側面のそれぞれに駆動用磁石２４が固定されている。この他にもたとえば、筒部１０ｂの前後の側面の一方と左右の側面の一方との２つの側面に駆動用磁石２４が固定されても良い。すなわち、筒部１０ｂの、互いに直交する２つの側面に駆動用磁石２４が固定されても良い。この場合には、たとえば、駆動用磁石２４に対向するように２個の振れ補正用コイル２３がケース体１７の筒部１７ｂの内側面に固定される。この場合であっても、上述した形態と同様の効果を得ることができる。なお、筒部１０ｂを構成する４つの側面のうちの３つの側面のそれぞれに駆動用磁石２４が固定されても良い。
【００５３】
上述した形態では、筒部１０ｂを構成する４つの側面のそれぞれに駆動用磁石２４が固定されている。この他にもたとえば、図５に示すように、筒部１０ｂの四隅のそれぞれに柱状に形成される駆動用磁石３４が固定されても良い。この場合には、たとえば、スリーブ８は略円筒状に形成されており、スリーブ８の外周面には、円筒状に巻回されたレンズ駆動用コイル３２が固定される。また、ケース体１７の筒部１７ｂの四隅の内側のそれぞれには、上述の振れ補正用コイル２３を略Ｌ形状に折り曲げることで形成される振れ補正用コイル３３が固定されている。
【００５４】
また、駆動用磁石３４には、レンズ駆動用コイル３２の外周面に対向する円弧状の曲面からなる第１対向面３４ｃと、振れ補正用コイル３３の内側面に対向する２個の平面からなる第２対向面３４ｄが形成されており、第１対向面３４ｃと第２対向面３４ｄとが異なる磁極となるように、駆動用磁石３４が着磁されている。この場合であっても、上述した形態とほぼ同様の効果を得ることができる。また、この場合には、デッドスペースとなりやすい筒部１０ｂの四隅に駆動用磁石３４が配置され、また、デッドスペースとなりやすい筒部１７ｂの四隅に振れ補正用コイル３３が配置されるため、撮影用光学装置１をより小型化することが可能になる。
【００５５】
なお、図５に示す例において、筒部１０ｂの四隅のうちの周方向で隣り合う２箇所に駆動用磁石３４が固定されても良い。また、筒部１０ｂの四隅のうちの３箇所に駆動用磁石３４が固定されても良い。
【００５６】
上述した形態では、レンズ駆動用コイル２２は、略正方形の筒状に巻回されているが、レンズ駆動用コイル２２は、振れ補正用コイル２３と同様に、扁平な略長方形状に巻回されて形成されても良い。この場合には、レンズ駆動用コイル２２は、その厚さ方向と筒部１０ｂの厚さ方向とが一致するように、スリーブ８の外周面に固定され、前後左右方向における駆動用磁石２４の内側面と、レンズ駆動用コイル２２の外側面とが所定の隙間を介して対向する。
【００５７】
上述した形態では、駆動用磁石２４の側面は、異なる２つの磁極が光軸方向で重なるように着磁されているが、駆動用磁石２４の側面は、単極に着磁されても良い。この場合には、スリーブ８の外周側に１個のレンズ駆動用コイル２２が固定される。また、上述した形態では、駆動用磁石２４は、第１磁石片２４ａと第２磁石片２４ｂとの２個の磁石片によって構成されているが、駆動用磁石２４は、１個の磁石片によって構成されても良い。
【００５８】
上述した形態では、撮影用光学装置１は、光軸方向から見たときの形状が略正方形状となるように形成されているが、撮影用光学装置１は、光軸方向から見たときの形状が略長方形状となるように形成されても良い。また、撮影用光学装置１は、光軸方向から見たときの形状がその他の多角形状となるように形成されても良いし、光軸方向から見たときの形状が円形状や楕円形状となるように形成されても良い。同様に、可動モジュール２は、光軸方向から見たときの形状が略長方形状となるように形成されても良い。また、可動モジュール２は、光軸方向から見たときの形状がその他の多角形状となるように形成されても良いし、光軸方向から見たときの形状が円形状や楕円形状となるように形成されても良い。
【００５９】
なお、上述した形態では、レンズ駆動用コイル２２と駆動用磁石２４とによって、レンズ駆動機構２０が構成されているが、レンズ駆動機構２０は、レンズ駆動用コイル２２以外の補助的な駆動用コイルや駆動用磁石２４以外の補助的な駆動用磁石を備えていても良い。同様に、上述した形態では、振れ補正用コイル２３と駆動用磁石２４とによって、振れ補正機構２１が構成されているが、振れ補正機構２１は、振れ補正用コイル２３以外の補助的な駆動用コイルや駆動用磁石２４以外の補助的な駆動用磁石を備えていても良い。
【００６０】
また、上述した形態において、支持体３に磁気センサを取り付けて、この磁気センサと駆動用磁石２４とによって、支持体３に対する可動モジュール２の相対位置を検出しても良い。
【符号の説明】
【００６１】
１  撮影用光学装置
２  可動モジュール
３  支持体
５  可動体
６  保持体
１０  カバー部材（磁石保持部材）
２０  レンズ駆動機構
２１  振れ補正機構
２２、３２  レンズ駆動用コイル
２３、３３  振れ補正用コイル
２４、３４  駆動用磁石
２４ｃ、３４ｃ  第１対向面
２４ｄ、３４ｄ  第２対向面
Ｌ  光軸
Ｚ  光軸方向
【図１】
0005538020.tif 000002
【図２】
0005538020.tif 000003
【図３】
0005538020.tif 000004
【図４】
0005538020.tif 000005
【図５】
0005538020.tif 000006